Podtech/llm-jp-corpus-v4-ja_patent huggingface dataset:
(57)【要約】      （修正有）【課題】従来の両刃用砥ぎ器の砥ぎ部がより小さく最小の部品点数で実現する両刃刃物の研ぎ部を提供する。【解決手段】たて1ｍｍよこ1ｍｍ高さ10ｍｍの超硬合金でできた角柱をＶ字に交差させた砥ぎ部を、直径１０ｍｍ、高さ１０ｍｍのポリエチレン系プラスチックの円柱に埋め込み固定する。【選択図】図１
2011125951.tif 000002
【特許請求の範囲】
【請求項１】
砥ぎ部に超硬合金の角柱をＶ字に交差させ、その角柱の角を利用して包丁を砥ぐようにした両刃刃物の砥ぎ部です。
【請求項２】
砥ぎ部においてV字に交差させる２個の超合金間を離すことにより被研磨体の削り屑が研磨部に詰まるのを防ぐ役目を果たす。
【請求項３】
本、砥ぎ部を実施例にしたがって家庭用まな板のサービス穴に取り付ける際の取り付け位置が最も本製品の長所が生かされていると思われるので、この位関係を請求します。
【発明の詳細な説明】
【技術分野】
【０００１】
本発明は、両刃の刃物を砥ぐのに砥ぎ部に超硬合金の角を利用した両刃用刃物砥ぎに関する。
【背景技術】
【０００２】
従来の両刃用砥ぎ器は砥ぎ部にセラミックや砥石を使ったものがほとんどであるが砥ぎ部自体が大きく構造も複雑なので使いずらい点がありました。
【先行技術文献】
【特許文献】
【０００３】
【特許文献１】特開２００９−１４８８８７号公報
【発明の概要】
【発明が解決しようとする課題】
【０００４】
以上の両刃用砥ぎ器の砥ぎ部を小さく、構造を簡潔にできないかと言う課題.。
本発明は従来の両刃用砥ぎ器が有していた問題を解決しようとするものであり、構造的にもシンプルにし使いやすい両刃用砥ぎ器の開発を実現しました。
【課題を解決するための手段】
【０００５】
本発明は両刃用砥ぎ器の本来の目的を損なわず、可能な限り小さく最小の部品点数で実現したことを特徴とする。
【発明の効果】
【０００６】
本発明の砥ぎ部は非常に小さくできているので家庭用台所用品のほとんどに取り付けが可能なので、台所の奥に仕舞ってありがちな包丁砥ぎ器を出して調理の時間をなるべくさくことなく両刃包丁が砥げるので調理中に切れ味が悪くなった包丁などを甦らせる点において効果は大きいと思われる。
【図面の簡単な説明】
【０００７】
【図１】砥ぎ部の正面図
【図２】砥ぎ部の側面図
【図３】砥ぎ部の上面図。
【図４】プラスチック製円柱の正面図
【図５】プラスチック円柱の側面図
【図６】プラスチック円柱の上面図
【図７】砥ぎ部をまな板に装着した説明図。  （実施例）
【発明を実施するための形態】
【０００８】
直径１０ｍｍ、高さ１０ｍｍのポリエチレン系プラスチックの円柱に深さ6.3ｍｍ幅2ｍｍの溝を円柱の上面に円の中心を通るように直線で切り抜きます。次に円柱の底面より溝の底の中心線に対して内角15度で円の中心より2.5ｍｍ横に直系2.3ｍｍ、深さ10ｍｍの穴をあける、同じ要領で今あけた穴とは逆の方向にやはり溝の中心より先ほどの穴とは逆の位置に１ｍｍずらして穴をあけます、円柱を横から見るとあけた穴跡がX字になります。その穴に縦１ｍｍ横１ｍｍ高さ10ｍｍの超硬合金の角柱の角が溝面に直角になるように埋め込みます。図１は砥ぎ部の正面図、図２は側面図、図３は上面図です。砥ぎ部の円柱固定体において超合金の挿入以前の図４、正面図、図５、側面図、図６、上面図です。
【実施例】
【０００９】
図７は、本研ぎ部をまな板の中に埋めこんだ装置の実施例の透視斜視図である。
【００１０】
本実施例の使用方法はまな板に彫られた溝に包丁の刃を沿わせ一、二回前後に包丁をスライドさせることによって新品の様な切れ味に甦ります。
【符号の説明】
【００１１】
１        ポリエステル系プラスチックでできた砥ぎ部の固定枠。
２        上記固定枠に切った深さ6.3ｍｍ幅2ｍｍの溝。
３        超硬合金の角柱。
４        超硬合金の角柱。
５        家庭用まな板
６        まな板上のサービス穴
【図１】
2011125951.tif 000003
【図２】
2011125951.tif 000004
【図３】
2011125951.tif 000005
【図４】
2011125951.tif 000006
【図５】
2011125951.tif 000007
【図６】
2011125951.tif 000008
【図７】
2011125951.tif 000009
(57)【要約】      （修正有）【課題】両面発電の出来る太陽電池パネル、風力発電機、中継アンテナ、通信機能付電力メーター及び充電装置の一体設置を、高所利用による省スペース化、コンパクト設計を、コンクリートポールを用いた架台システムを提供する。【解決手段】コンクリートポール１に風力発電機２を設け、コンクリートポール３に風力発電機４を設け、コンクリートポール５に中継アンテナ６を設ける。補助ポール７、８に取付金具類を設け、太陽電池パネル９、１０、１１を固定する。次に太陽電池パネル９の裏側に太陽電池パネル１２、太陽電池パネル１０の裏側に太陽電池パネル１３、太陽電池パネル１１の裏側に太陽電池パネル１４を取付け、両面型太陽電池パネルにする。充電装置１５と通信機能付電力メーター１６、コントロールボックス１７、中継アンテナ６を設置する。【選択図】図１
2011125207.tif 000002
【特許請求の範囲】
【請求項１】
イ）コンクリートポールＡ（１）に風力発電機Ａ（２）を設け、コンクリートポールＢ（３）に風力発電機Ｂ（４）を設け、コンクリートポールＣ（５）に中継アンテナ（６）を設ける。
ロ）コンクリートポールＡ（１）、Ｂ（３）、Ｃ（５）と補助ポールＡ（７）補助ポールＢ（８）に取付金具類を設け、太陽電池パネルＡ（９）、太陽電池パネルＢ（１０）、太陽電池パネルＣ（１１）を固定する。
ハ）次に太陽電池パネルＡ（９）の裏側に太陽電池パネルＡ−１（１２）、太陽電池パネルＢ（１０）の裏側に太陽電池パネルＢ−１（１３）、太陽電池パネルＣ（１１）の裏側に太陽電池パネルＣ−１（１４）を取付け、両面型太陽電池パネルにする。
ニ）次に充電装置（１５）と通信機能付電力メーター（１６）を内部に設けたコントロールボックス（１７）を設置し、充電装置（１５）は風力発電機Ａ（２）、Ｂ（４）を直流変換させ、結線し、太陽電池パネルＡ（９）、Ｂ（１０）、Ｃ（１１）、Ａ−１（１２）、Ｂ−１（１３）、Ｃ−１（１４）とは直流で結線し、更に通信機能付電力メーター（１６）とも結線する。
又、通信機能付電力メーター（１６）は、中継アンテナ（６）とも結線する。
以上のごとく構成された、両面型太陽電池パネルと風力発電機を併設した通信機能付電力メーターと充電装置による分散型発電、送電装置のコンクリートポール型架台システムである。
【発明の詳細な説明】
【技術分野】
【０００１】本発明は、コンクリートポールの架台工法に関するものであり、太陽光の反射も活用する両面型太陽光発電を特徴とした、両面型太陽電池パネル、風力発電機、中継アンテナ、通信機能付電力メーター、充電装置を併設して、効率的に分散型、発電送電を可能にしたものである。
【背景技術】
【０００２】従来より、大規模な太陽電池パネル発電や風力発電は、海外において、大陸型の気候や、広大な土地の条件を活用しており、日本の気候や地形は困難な条件が多かった。
その為、日本固有の気候や土地に合わせた、海岸線の利用計画が必要である。
【発明の開示】
【発明が解決しようとする課題】
【０００３】日本固有の海岸線を利用する場合、隣接する広大な水平海面、更に海面に反射する強い太陽光、又、常時発生する陸風、海風等の自然環境に適した計画で、自然エネルギーの活用効率を高め、発電能力の向上を課題とする。
【課題を解決するための手段】
【０００４】この課題を解決するために、請求項１の発明は、海面の太陽光の反射に対応した両面型太陽電池パネル発電と風力発電の併用を計り、高効率の太陽光発電と風力発電を組み合わせることで、自然エネルギーの活用効率を高める。
又、海岸線での分散型発電を計る為に、中継アンテナも同時に併設して、通信機能付電力メーター、充電設備による、効率的な発電送電可能になる。
【発明の効果】
【０００５】この発明の効果は、両面型太陽電池パネル、風力発電機、中継アンテナ、通信機能付電力メーター、充電装置の一体設置と、高所活用による省スペース化、コンパクト設計が可能になり、海岸線に連続した分散型設置を実現させる。
【発明を実施する為の最良の形態】
【０００６】この発明は、海岸等の海に隣接する立地の場合に、海面に反射する太陽光も活用して、両面型の太陽電池パネルを設置してあるが、一体型の両面型太陽電池パネルでも使用が可能である。
又、海岸線の立地以外でも、周辺の反射で、平地、野原、河川、湿原、湖沼、山間部での応用も可能である。
【０００７】この発明は、海岸線の立地の場合、常時発生する陸風、海風に合わせた昼夜の風向きの変化に対応できる垂直型の風力発電機の活用も可能である。
【０００８】この発明は、コンクリートポールの代替として、鉄柱、鉄骨でも可能である。
【０００９】この発明は、凍結や積雪対策を必要な場合は、凍結防止や融雪の為、ヒーターの取付加工も可能であり、必要な感知センサーの取付けも可能であり、電源も充電装置より配線できる。
【産業上の利用可能性】
【００１０】本発明に係る両面型太陽電池パネルを用いた分散型発電送電装置のコンクリートポール型架台システムは、普及も可能で、産業上の利用可能を有する。
【図面の簡単な説明】
【００１１】
【図１】本発明の説明図である。
【図２】本発明の両面型太陽電池の設置を示す説明図である。
【図３】〔図２〕の取付角度を示す説明図である。
【図４】本発明の他の実施例を示す説明図である。
【図５】本発明の他の実施例を示す説明図である。
【符号の説明】
【００１２】（１）コンクリートポールＡ  （２）風力発電機Ａ  （３）コンクリートポールＢ
（４）風力発電機Ｂ  （５）コンクリートポールＣ  （６）中継アンテナ
（７）補助ポールＡ  （８）補助ポールＢ  （９）太陽電池パネルＡ
（１０）太陽電池パネルＢ  （１１）太陽電池パネルＣ
（１２）太陽電池パネルＡ−１  （１３）太陽電池パネルＢ−１
（１４）太陽電池パネルＣ−１  （１５）充電装置
（１６）通信機能付電力メーター  （１７）コントロールボックス
【図１】
2011125207.tif 000003
【図２】
2011125207.tif 000004
【図３】
2011125207.tif 000005
【図４】
2011125207.tif 000006
【図５】
2011125207.tif 000007
(57)【要約】      （修正有）【課題】太陽光、風力、マイクロ水力、バイオマス等自然エネルギーを対象に温室効果ガス削減に向けた取り組みが推進されているが、気象条件、健康問題、河川法、食料問題等があり安定した電力供給に至っていない状況にある。【解決手段】蓄電池、コントローラー等の著しい性能技術向上を基に蓄電池を複合化しインバーター、コンバーター、キャパシタ、動力装置、低速発電機を組合せシステム化することで循環型発電システムが構築され温室効果ガス削減と電力供給が図れる。【選択図】図１
2011125206.tif 000002
【特許請求の範囲】
【請求項１】
本発明は、蓄電装置を複数使用しインバーター、コンバーター、キャパシタ、フライホイールを組み合わせたＤＣ電源を、ＡＣ電源に変換し動力装置を稼働させ低速発電機により発電された電力を商用電力と一部をＡＣ〜ＤＣ変換し蓄電装置充電に使用することで循環型発電システムを構築することができる。
【発明の詳細な説明】
【技術分野】
【０００１】  本発明は発電機の駆動電源を複合化することで一方を放電、一方を充電として交互に使用し、ＤＣ電源をインバーターでＡＣ変換、コンバーターで発電力の一部をＤＣ変換し蓄電池充電する循環型発電システムに関する。
【背景技術】
【０００２】  コマツバッテリーフォークリフトはバッテリー＋キャパシタの組合せにより低電圧時にキャパシタ電力が補い、新型シールドバッテリーを使用することで保水作業を不要とした。【０００３】  インバーター、コンバーター、キャパシタ、蓄電池等の性能技術向上が進化している。【０００４】  従来の発電機稼働は化石燃料を使用し高速タイプで駆動時間に制限がある。
【発明の概要】
【発明が解決しようとする課題】
【０００５】  太陽光発電、風力発電、水力発電など自然エネルギー利用は気候条件に左右されメガワット級以上は宣伝されるほど稼働効率を上げておらず、電力の安対供給、温室効果ガス削減目標達成には限界がある。
【問題を解決するための手段】
【０００６】  動力源の蓄電装置を複合化し、インバーター、コンバーター、キャパシタをシステム化しギヤレーション動力機、フライホイール、低速発電機を稼働し余剰電力の一部を蓄電池、キャパシタに還元させることで蓄電装置交互に充放電が可能となり循環型発電システムの構築ができ、電力の安定供給と温室効果ガス削減に貢献できる。
【発明の効果】
【０００７】  動力源を蓄電池複合としコントローラーと一体化システムとすることで化石燃料を使用しないクリーンな電力供給とインフラ不要の電源装置となる。
【図面の簡単な説明】
【０００８】
【図１】蓄電池〜インバーター〜動力機モータ〜発電機〜コンバーター〜蓄電池で構成する循環型発電システム図である。
【発明を実施するための形態】
【０００９】  電源とするシールドバッテリー１２Ｖ×１２個セット×２ユニットの一方を放電、一方を充電と交互に使用しＤＣ４８ＶをＡＣ２００Ｖにインバーター変換し動力装置のＡＣモータ×３台を駆動させフライホイール、低速発電機を稼働させＡＣ１００Ｖ〜４４０Ｖの商用電源とコンバーターにより一部をバッテリー充電に使用し、過負荷時にはキャパシタを補助電源として活用する。
【実施例】
【００１０】  商用電源ＡＣ２００Ｖ使用による発電装置稼働試験を実施済み。
【産業上の利用の可能性】
【００１１】  電力を必要とするあらゆる産業に利用することができる。
【符号の説明】
【００１２】  １）蓄電池  ２セット  ２）インバイター  ３）動力機  ４）フライホイール  ５）発電機  ６）コンバーター  ７）充放電切替器  ８）キャパシタ
【図１】
2011125206.tif 000003
(57)【要約】【課題】ジェット機や素粒子などにより何億分の１かは時間が変化する事が分かったが、それ以上の事は証明されていない。【解決手段】宇宙空間という重力の少ない特別な所で効率よく回転させることにより、内外の時間を変える。もしくは超高速回転により機械の周りの粒子の接触を無くし、機械の周りの空間を変えて宇宙を出て、機械の移動距離は無いが宇宙は膨張しているので、再び宇宙に現れると機械の位置が変わり、移動したことになる。【選択図】図３
2011125208.tif 000002
【特許請求の範囲】
【請求項１】
超高速回転の球状の機械により、時間を移動する機械
【発明の詳細な説明】
【技術分野】
【０００１】本発明は球状の機械の速い回転により、機械のタイムトラベルを可能にする機械である。
【背景技術】
【０００２】今まで光に近い速さのジェット機や素粒子により何億分の１位かの時間が変わる事しか確かめられなかったが超高速回転の球状の機械により効率よく光以上の速さを作り時間を変える。
【先行技術文献】
【非特許文献】
【０００３】株式会社ニュートンプレス２００７年３月１５日発行  ニュートン別冊３４ｐ
【発明の概要】
【発明が解決しようとする課題】今まで光に近い速さの素粒子やジェット機により億万分の１位かの時間が変わる事しか確かめられなかった。そして移動距離による余計な力の負担があった。
【課題を解決するための手段】回転により効率よく光以上の速さを作る。移動距離が無い為、余計な加速に対する負担が無い。そして移動距離が無いが超高速回転により、タイムマシン自体が宇宙を出て消える確率が有る為、宇宙を出れば再び現れた時、宇宙の膨張により現れる位置が変わると予測する。
【発明の効果】瞬間移動・過去への移動を可能にする。
【図面の簡単な説明】
【図１】本発明のタイムマシンの正面図である。
【図２】本発明のタイムマシンの縦断面図である。
【図３】本発明のタイムマシンの上から見た平面図である。
【発明を実施するための形態】
【０００４】以下、本発明の実施の形態を図１〜図３に基づいて説明する。
【０００５】図においては、１は本発明タイムマシンの外側である。２は本発明タイムマシンのジェットエンジンである。３は２が噴射するジェット流である。４は本発明タイムマシンの内側である。５は１・２により４が動かないようにするためのベアリング機構を表す。
【０００６】１の外側は２のジェットエンジンから３のジェット流を出し回転するが、５のベアリング機構により４の内側は回転しない。
【０００７】外部にエネルギーが存在すると粒子などの接触が多いため効率よく時空を変化できないと予測するので３のジェット流は定期的に出し、絶えず出すことはしない。
【０００８】４の内側の厚さは１の外側より厚くし重くしてなるべく４は回転できないようにして生き物も生活できるようにする。
【０００９】１．２はアルミ合金、４．５は鉄合金を使う。
【実施例】図１で１の球状の外側部分を無重力（宇宙空間）の中で２のジェットエンジンにより、３のジェット流で超高回転する。３のジェット流は定期的にしないと効率良く時間を変化できないと予測しているので、絶えず出すことはしない。
図２内側の構造は外側と一緒に回転しないよう内外の接触部分にベアリング機構などを使う。
【図１】
2011125208.tif 000003
【図２】
2011125208.tif 000004
【図３】
2011125208.tif 000005
(57)【要約】【課題】還元剤として生の大根及び切干大根を使用することで、電気分解法及びゲルマニュウム等の希少鉱石の接触法に替る安価で安易にしかも安全に還元水を製造することを可能とする。【解決手段】生の大根を摩り下ろし、それをろ過し抽出した原液を還元電位測定器でその電位値が−７０±１０ｍｖを確認し、還元対象水に滴定により２０００倍から４０００倍に希釈することで酸化還元電位を５０％±１０の還元電位値にする。【特許請求の範囲】
【請求項１】
生の大根及び乾燥させた切干大根から抽出した搾り液を還元液として飲用水を還元する製造方法
【請求項２】
上記〔請求項１〕による還元水を滴定した希釈後に一定時間浸漬することで切花の日持ち、野菜類を鮮度保持する利用方法
【発明の詳細な説明】
【技術分野】
【０００１】  本発明は、水道水及びミネラル水の飲料水と、調理水等を簡単、安全、速やかに、しかも環境負荷を増加することなく廉価に製造できる従来の接触法や電気分解法とは全く違う大根抽出液による酸化還元方法である。
【背景技術】
【０００２】  動植物にとって活性酸素によるリスクを回避する為に、飲料水により還元水を飲用している。日常生活においては、上水及び市販ミネラル水を利用することが一般的でありコスト的にも比較的安価である。ただ、上水の場合は、還元電位値に地域差はあるが平均５７０ｍｖ前後、ミネラル水ではメーカーによりバラツキがあるが２００ｍｖから３００ｍｖである。【０００３】  これらの還元水製造方法は、家庭の場合においては、水道蛇口の前段で小型の還元装置を設置し電気的にアルカリ水と酸性水に分解し製造している。この方法では、装置製造による二酸化炭素の排出、及び使用時に電気使用料金とそのための二酸化炭素排出による環境負荷の増加に繋がる。【０００４】  上記〔０００３〕においては品質保持の為の保守管理，又、同時に製造される酸性水の効果的使用が必要不可欠であり、未使用での排出の場合には無駄な水になり環境負荷の増加になる。【０００５】  上記〔０００３〕において装置の本体の設置スペースの制約もあり、この廃棄時期においては樹脂の場合での二次公害の原因になる。【０００６】  鉱物であるゲルマニュウム及びトルマリン等に接触させることにより還元水化している。但し、これらの方法ではその還元水の測定値をその還元効力を理論値どおり管理コントロールすることが不可能である。又、人体にあたえる悪影響における保障もなく危険性がないとはいえないのが実態である。
【発明が解決しようとする課題】
【０００７】  解決しようとする問題点は、設備投資、初期投資をかけないで酸化還元水を廉価に大量に迅速かつ安全に還元を可能にする。
従来の酸化還元水化では、本体及びカートリッジはＡＢＳ樹脂使用により、使用後は廃棄物が発生する。
【発明の開示】
【発明が解決しようとする課題】
【０００８】    発明が解決しようとする問題点は、如何に安価で初期投資なしで、しかも環境に負荷をかけなく経済的、効率的、短時間に品質の安定、保存可能な還元効果の高い還元液を製造するかという点である。
【問題を解決しょうとする課題】
【０００９】  本発明は、根菜類の中でも突出して消化酵素ジアスターゼを含んで、しかも容易に生産され全国的に可能である大根（全国年間生産量約１６０万トン）から、その還元力の高い抽出液を人工的に摩り下ろしその液体をろ過布でろ過し、その抽出液（酸化還元電位値平均―７０ｍｖ）を一本の大根（重量約７００ｇ）から３５０ｃｃを一貫して製造することを最も特徴とする。
【００１０】  上記特徴に関連する二次製品である切干大根４０ｇに対し熱湯及び水道水５００ｃｃ標準的に３０分前後を浸漬し、その浸漬液のみをろ過して還元効力をもつ抽出液を製造することを特徴とする。
【００１１】  上記特徴に関連する原料として１４０ｇ玉葱１個（全国年間生産量約１２０万トン）も同様に摩り下ろすか、湯煎（９０℃以上２０分）の煮汁３００ｃｃ（酸化還元電位値２０ｍｖ）を製造する。
【００１２】  本発明は、このこれらの抽出液を２０００倍から最大４０００倍で還元効力を発揮できる還元原液を抽出製造することを特徴とする。
【００１３】  本発明の大根還元原液は、大根の抽出液（酸化還元電位値―７０ｍｖ±１０）を酸化還元電位値５７０ｍｖの水道水に２０００ｃｃに対し注射器で１ｃｃを滴定することで５分後に２５０±３０ｍｖに還元する利点がある。
【００１４】    大根を摩り下ろし、それをろ過した抽出液（酸化還元電位値―８０ｍｖ±１０）を常温水道水（酸化還元電位値５７０ｍｖ±７０）２０００ｃｃに１ｃｃ滴定することで５分後に酸化還元電位値を２７０ｍｖ±２０に下げることが実現できた。また、その状態を持続することも２４時間の測定結果で確認。
【課題を解決するための手段】
【００１５】  本発明は、大根より抽出した抽出液を原液とするが、地球規模でどこでも栽培生産されており増産もできる材料である。しかも、生産過程や製造技能は全く不安ない。更に、抽出後の残さ物は、畑などへ有機肥料として利用することで、二次公害を出さず、抽出原液の保管・維持も容易である。
しかも、滴定方式とすることで還元水が容易に作れることから、現行のカートリッジの取り換えを不要とするものである。使用方法としては、少量から大量にまで還元水を人為的に何時でも、どこでも誰でも安全に、環境に負荷をかけないで地球環境に優しく作ることが可能となる。
【発明の効果】
【００１６】  本発明でカーネーションの切り花を酸化還元測定値（ｍｖ）で測定した還元水に１日浸漬したものと、水道水に浸漬した場合、還元水に浸漬したカーネーションの日持ちは１４日に対し水道水の場合は７日となり、しかも、水の濁り、臭気の発生も無く日持ちに効果がみられた。
その時の酸化還元電位値は−１５２ｍｖ、水道水１００％は１７ｍｖであった。
【発明を実施するための最良の形態】
【００１７】  滴定方式により試験管に、市販のカーネーション５本を、抽出した消化酵素ジアスターゼで、滴定条件をかえたもの４本と通常水道水１００％で試みた。酸化還元電位を下げることにより、花卉切り花店においては、水を交換しなくても日持ちが良くなることから、水の交換手間は省かれ、現行より水の使用量が少なくなり、水道水の節約、又、常温環境での保管により定温冷蔵庫の温度を下げることによる電気料の節約が図られる。生産者においては、物流での保冷車の燃料の削減とＣＯ２削減が可能となる。
【実施例１】
【００１８】  試験管に一定量の植物性アミノ酸液をそれぞれ水道水に、０．０２５％、０．０６６％、０．０１２５％を点滴する。【００１９】
【表１】
2011125837.tif 000002
【００２０】  この結果、水道水に対し、酸化還元処理を実施した切り花が日持ちすることを確認した。水道水への還元力率は１００−（２４７÷５３１）×１００＝５３．５％となり、還元効果を確認する。
(57)【要約】【課題】一定電圧一定周波数を負荷に供給する補助電源装置には、入力電圧が低下すると入力電流が増加するため、周波数が過渡的に変動しやすくなる欠点があった。【解決手段】本発明は以上の点を解決する為、補助電源装置の出力電圧、電流を検出して、力率を算出し、当該力率が補助電源装置の仕様値以上になった場合に、インバータスイッチング周波数を高速化する。これにより、サンプリング時間を短縮し、出力電圧制御を必要最小限に抑えることができる。【選択図】図１
2011125114.tif 000002
【特許請求の範囲】
【請求項１】
直流電圧を入力し、一定周波数および一定電圧の交流電圧を出力する補助電源装置において、出力電圧および出力電流より力率を算出し、当該力率が補助電源装置の仕様値以上になった場合に、インバータスイッチング周波数を高速化することを特徴とする補助電源装置。
【発明の詳細な説明】
【技術分野】
【０００１】
本発明は一定電圧一定周波数を負荷に供給する補助電源装置に関するものである。
【背景技術】
【０００２】
図２は一定電圧一定周波数を負荷に供給するインバータ装置のツナギ図である。
直流フィルタ２を介して直流電源１より直流電圧を入力し、交流フィルタ４を介して交流電圧を負荷５に出力するインバータ装置３により構成される。
【０００３】
制御システムとしては、交流出力電圧制御器と、交流出力電流の無効電流を検出して、前記無効電流と無効電流に一次遅れフィルタを通した値との差に比例ゲインを乗算した値を、電圧指令の周波数に加算する周波数指令演算器を、備えている。（例えば、特許文献１参照。）
【先行技術文献】
【特許文献】
【０００４】
【特許文献１】特開２００６−３２５３２６号公報
【発明の概要】
【発明が解決しようとする課題】
【０００５】
上記のような補助電源装置は、入力電圧が低下すると入力電流が増加するため、周波数が過渡的に変動しやすくなる。
【課題を解決するための手段】
【０００６】
請求項１の発明によれば、直流電圧を入力し、一定周波数および一定電圧の交流電圧を出力する補助電源装置において、出力電圧および出力電流より力率を算出し、当該力率が補助電源装置の仕様値以上になった場合に、インバータスイッチング周波数を高速化することを特徴とする補助電源装置。
【発明の効果】
【０００７】
本発明の適用により、負荷変動時必要最小限の制御で、出力電圧波形を平滑化することができる。
【図面の簡単な説明】
【０００８】
【図１】本発明にかかる制御論理図
【図２】一定電圧一定周波数を負荷に供給する補助電源装置のツナギ図
【発明を実施するための形態】
【０００９】
補助電源装置の出力電圧および出力電流を検出して力率を算出し、前記力率が補助電源装置の仕様値以上になった場合に、インバータスイッチング周波数を高速化し、サンプリング時間の短縮により、周波数の過渡的変動を必要最小限に抑えることが出来る。
【実施例１】
【００１０】
図２のインバータ装置に本発明を適用する。
主回路は図２のように、直流フィルタ２を介して直流電源１より直流電圧を入力し、交流フィルタ４を介して交流電圧を負荷５に出力するインバータ装置３により構成される。
【００１１】
制御方法は、出力電圧、電流を検出して力率を算出し、前記力率が補助電源装置の仕様値以上になった場合に、インバータスイッチング周波数を高速化する。図１は、本発明にかかる制御論理図であって、図２の一定電圧一定周波数を負荷に供給する補助電源装置のツナギ図に関する制御論理図である。
【産業上の利用可能性】
【００１２】
本発明は一定電圧一定周波数を負荷に供給するインバータ装置に関するものであり、周波数の過渡的変動を必要最小限に抑え、負荷の一部が誘導電動機である場合に、他負荷への入力電圧変動を抑えることができる。
【符号の説明】
【００１３】
１    直流電源
２    直流フィルタ
３    インバータ装置
４    交流フィルタ
５    負荷
【図１】
2011125114.tif 000003
【図２】
2011125114.tif 000004
(57)【要約】【課題】空気中浮遊微細物の捕捉機能を向上させる。【解決手段】通気性を有し使用者の顔面下半部に被せられる被覆部１と、該被覆部１の左右に夫々設けた耳掛け部を備えた衛生マスクにおいて、非粘着性の表面層３および裏面層４の間に粘着性を有する中間層５を設けて、前記被覆部１を形成することによって、表面層３を透過した空気中の浮遊微細物を中間層５で吸着し捕捉する。【選択図】図２
2011125376.tif 000002
【特許請求の範囲】
【請求項１】
通気性を有し使用者の顔面下半部に被せられる被覆部と、該被覆部の左右に夫々設けた耳掛け部を備えた衛生マスクにおいて、前記被覆部は、非粘着性の表面層および裏面層の間に粘着性を有する中間層を設けて形成したことを特徴とする衛生マスク。
【発明の詳細な説明】
【技術分野】
【０００１】
本発明は、埃、花粉、バクテリア、ウイルス等の人体に悪影響を及ぼす空中浮遊微細物を捕捉し透過させない衛生マスクに関する。
【背景技術】
【０００２】
従来より、人の健康に害を及ぼす空中浮遊微細物の吸込み防止に、衛生マスクが利用されており、使用者の鼻孔や口元等の顔面下半部に被せる被覆部をガーゼで形成した衛生マスクの他、近時では被覆部を不織布で形成した衛生マスクが主流となりつつある。
不織布で形成した衛生マスクとしては、例えば次のものが見受けられる。
外側不織布と、中間不織布と、口元側不織布が、外側から口元側に向かって、上記の順で並設されることで、マスク本体が構成され、中間不織布の糸密度が外側不織布よりも密とされた衛生マスク（下記特許文献１を参照）。
【０００３】
外層−内層−外層の少なくとも３層の積層不織布からなる衛生マスク用不織布基材であって、外層は、ポリオレフィン系短繊維またはポリエステル系短繊維で構成される不織布からなり、内層は、ポリプロピレン製スパンボンド不織布とメルトブロー不織布が組み合わされた複合不織布からなり、積層一体化された不織布基材を顔面覆い部に用いた衛生マスク（下記特許文献２を参照）。
【先行技術文献】
【特許文献】
【０００４】
【特許文献１】登録実用新案第３１０１２６８号公報（実用新案登録請求の範囲）
【特許文献２】特開２００９−１０６４６８号公報（特許請求の範囲）
【発明の概要】
【発明が解決しようとする課題】
【０００５】
ところが、上記従来の衛生マスクは、使用する不織布の特性を吟味し、異なる特性の不織布の組合せに工夫を凝らしたものであるが、不織布の細孔に空気を通すことで、空気中の浮遊微細物を捕捉することに何ら変わらず、細孔より小さな浮遊微細物を捕捉することはできないため、ウイルスなど極微小の浮遊物の対策には不十分であり、捕捉機能の更なる向上が求められた。
【課題を解決するための手段】
【０００６】
本発明は、通気性を有し使用者の顔面下半部に被せられる被覆部と、該被覆部の左右に夫々設けた耳掛け部を備えた衛生マスクにおいて、非粘着性の表面層および裏面層の間に粘着性を有する中間層を設けて、前記被覆部を形成することによって、表面層を透過した空気中の浮遊微細物を中間層で吸着し捕捉する様にして、上記課題を解決する。
【発明の効果】
【０００７】
要するに本発明は、通気性を有し使用者の顔面下半部に被せられる被覆部と、該被覆部の左右に夫々設けた耳掛け部を備えた衛生マスクにおいて、前記被覆部は、非粘着性の表面層および裏面層の間に粘着性を有する中間層を設けて形成したので、表面層を透過した空気中の浮遊微細物を中間層で吸着することにより、表面層およびの中間層の通気細孔より小さな浮遊微細物を捕捉することが出来る。
又、非粘着性の表面層を設けることにより、表面層の通気細孔より大きな浮遊微細物は表面層の通気細孔を透過できないため、中間層に吸着されることがなく、中間層が目詰まりしたり、中間層の粘着性が急激に低下することがない。
又、表面層は非粘着性であるから、通気細孔を透過できずに表面層にて捕捉された浮遊微細物を簡単に払い落とすことが出来る。
又、非粘着性の裏面層を設けることにより、従来の衛生マスクと同様の肌触り、使い心地を維持することが出来る等その実用的効果甚だ大である。
【図面の簡単な説明】
【０００８】
【図１】本発明に係る衛生マスクの概略正面図である。
【図２】図１の衛生マスクの被覆部の概略縦断面拡大図である。
【発明を実施するための形態】
【０００９】
以下、本発明の衛生マスクにつき詳細に説明する。
本発明の衛生マスクは、図１に示す様に、使用者の顔面下半部（鼻孔および口元等）に被せられる被覆部１と、該被覆部１の左右に夫々設けた耳掛け部２を備えている。
被覆部１は、その表裏面方向に通気性を有し、図２に示す様に、表面層３と裏面層４の間に粘着性を有する中間層５を設けて形成されている。
【００１０】
表面層３および裏面層４は、非粘着性であり、例えば、ガーゼ、不織布等の従来の衛生マスクと同様の素材で形成され、中間層５は、前記素材に、その通気細孔を塞がないように粘着剤を担持させたり、紙材、プラスチックフィルムのシート材に粘着剤を塗布して、かかる粘着剤塗布済のシート材に通気細孔を多数穿設すれば良い。
粘着剤としては、例えば高分子化合物のゲルで良く、人体への安全性の点からして、シリコーンゲルが好適である
【００１１】
尚、図１には、被覆部１が矩形シート状のものを示したが、被覆部１の形状は、これに限らず、例えば立体的に形成し嘴形としたものでも良い。
【符号の説明】
【００１２】
１  被覆部
２  耳掛け部
３  表面層
４  裏面層
５  中間層
【図１】
2011125376.tif 000003
【図２】
2011125376.tif 000004
(57)【要約】【課題】従来の布製の抱き枕とは異なる感触の適度の凹凸を有する軽量な抱き物を提供する。【解決手段】伸縮性を有するゴム様体で形成した内側風船体２と外側風船体３の２重構造からなり、該内側風船体２は空気注入バルブ２ｃを具備して気密に形成され、該内側風船体２の要部の内側部に引張り支柱２ａを設けて該内側風船体２の要部の膨張を制限して、該内側風船体２の外周面部にくびれ部２ｂを有する縦長の風船状に形成しており、他方の前記外側風船体３は前記内側風船体２の外側に略密接して形成され、要部に通気のための小孔３ａを設けて、これら外側風船体３と内側風船体２との間に少許の隙間を形成可能にした。【選択図】図２
2011125381.tif 000002
【特許請求の範囲】
【請求項１】
伸縮性を有する内側風船体と外側風船体の２重構造からなり、前記内側風船体は空気注入バルブを具備して気密に形成され、該内側風船体の要部の内側部に引張り支柱を設けて該内側風船体の要部の膨張を制限して、該内側風船体の外周面部にくびれ部を有する縦長の風船状に形成しており、他方の前記外側風船体は前記内側風船体の外側に略密接して形成され、要部に通気のための小孔を設けて、該外側風船体と前記内側風船体との間に少許の隙間を形成可能に形成したことを特徴とする抱き物。
【請求項２】
前記外側風船体の上面に人物の絵をプリントした請求項１に記載の抱き物。
【発明の詳細な説明】
【技術分野】
【０００１】
この発明は、抱き枕等の抱き物に関する。
【背景技術】
【０００２】
従来の抱き枕として、内袋にスポンジ等のクッション材を充填して形成された複数のクッション体をファスナーによって開閉可能とされた１つの外袋で包んで構成された抱き枕が知られている（例えば、特許文献１参照。）。
【先行技術文献】
【特許文献】
【０００３】
【特許文献１】特開２００８−１８８１５７号公報
【発明の概要】
【発明が解決しようとする課題】
【０００４】
本発明は従来の布製の抱き枕とは異なる感触の弾力性を有する材料からなる抱き枕に対するニーズ及び軽量な抱き枕に対する要望に応えると共に、適度の凹凸を具備した抱き枕等の抱き物を提供することを目的とする。
【課題を解決するための手段】
【０００５】
本発明は前記の目的を達成すべく、伸縮性を有する内側風船体と外側風船体の２重構造からなり、前記内側風船体は空気注入バルブを具備して気密に形成され、該内側風船体の要部の内側部に引張り支柱を設けて該内側風船体の要部の膨張を制限して、該内側風船体の外周面部にくびれ部を有する縦長の風船状に形成しており、他方の前記外側風船体は前記内側風船体の外側に略密接して形成され、要部に通気のための小孔を設けて、該外側風船体と前記内側風船体との間に少許の隙間を形成可能に形成した。
【発明の効果】
【０００６】
本発明によれば、弾力性に富み適度の凹凸を具備した感触の良い抱き物を提供することができる効果を有する。
【図面の簡単な説明】
【０００７】
【図１】本発明の実施例１の抱き物の平面図である。
【図２】図１におけるＸ−Ｘ線截断面図である。
【図３】本発明の他の実施例の抱き物の外観図である。
【発明を実施するための形態】
【０００８】
本発明を実施するための形態の実施例を以下に示す。
【実施例１】
【０００９】
本発明の抱き物の例としての抱き枕の実施例を図面により説明する。
【００１０】
図１は本発明の抱き物即ち抱き枕１の平面図であり、図２は該抱き枕１の図１におけるＸ−Ｘ線截断面図である。
【００１１】
抱き枕１は伸縮性を有するゴム様体で形成した内側風船体２と外側風船体３の２重構造からなり、外側風船体３は前記内側風船体２の外側に略密接して形成されている。
【００１２】
前記内側風船体２は、要部の内面部の上下両面をゴム様体製の引張り支柱２ａで連結して、要部の膨張を制限している。
【００１３】
即ち、内側風船体２の外面部は、前記引張り支柱２ａの左右の部分が膨らんで、引張り支柱２ａのある要部は凹んだ状態のくびれ部２ｂに形成される。
【００１４】
前記引張り支柱２ａは、内側風船体２内に複数箇所設けてもよく、又、引張り支柱２ａの長さや形状も要部のニーズに合わせて多様に形成することができる。
【００１５】
２ｃは内側風船体２に空気を充填するための空気注入バルブである。
【００１６】
前記外側風船体３は、要部に複数個の小孔３ａを通気用として設けている。
【００１７】
このように通気用の小孔３ａを有することによって、前記内側風船体２のくびれ部２ｂに当接する外側風船体３の内側には空気が導入されて、該外側風船体３の材料の持つ弾力性によって前記くびれ部２ｂとの間に隙間が形成される。このため該外側風船体３の表面には皺や急激な凹凸を生ぜず、滑らかにカーブした表面が得られる。
【００１８】
次に本発明の抱き枕の使用方法及びその効果について述べる。
【００１９】
抱き枕１は空気入れ等を用いて空気注入バルブ２ｃから空気を充填し、就寝時などに抱いて使用する。
【００２０】
抱き枕１は軽量なので、大人でも子供でも使用可能であり、その本体部が布地ではなく、伸縮性を有する冷たいゴム様体で形成されているので、この抱き枕１の感触を心地良いと思う人も多いものと思われる。
【００２１】
尚、図３に示す如く前記抱き枕１は外側風船体３の外面に人や動物の絵をプリントしてもよい。
【産業上の利用可能性】
【００２２】
本発明の抱き物は、大人用や子供用の抱き枕等として使用される。
【符号の説明】
【００２３】
１    抱き物
２    内側風船体
２ａ  引張り支柱
２ｂ  くびれ部
３    外側風船体
３ａ  小孔
【図１】
2011125381.tif 000003
【図２】
2011125381.tif 000004
【図３】
2011125381.tif 000005
(57)【要約】      （修正有）【課題】外刃と肌の間に、空気の負圧を掛けることにより、外刃と肌の接触圧を均等に高め、むらなく剃れるようにする。【解決手段】電動かみそりの筐体内部に送風装置を設け、筐体の側面部より空気を排出させることによって外刃１の内側へ空気の負圧を発生させる。外刃の外周には、負圧を保持する目的で圧力壁３が設けられており、圧力壁の上面に肌を接触させると、肌は均等な負圧によって外刃へ吸引され、外刃の形状に合わせて密着する。このことにより外刃は全面で肌と密着し、効率よく体毛を剃る事が出来る。また、外刃と肌を密着させる圧力は、送風装置の風速により制御できるため、電気かみそりの設定で安定した剃りこみ深さを設定することができる。【選択図】図１
2011125410.tif 000002
【特許請求の範囲】
【請求項１】
回転式または往復式の電動かみそりにおいて、肌を外刃へ均等に密着させるために、空気の負圧により吸引させる機構。
【請求項２】
電動かみそりの外刃の内側へ発生させた空気の負圧を、肌との間に保持するために、外刃の外周へ圧力壁を設けた機構。
【請求項３】
電動かみそりの内部に送風装置を設け、電動かみそりの外部へ空気を排出することに
より、外刃の内側へ負圧を発生させる機構。    
【請求項４】
電動かみそりと肌との間に負圧を保持するために、身体の凹凸に応じて変形する柔軟性を持つ圧力壁を設けた機構。
【請求項５】
負圧を掛けずに通常の使用も行なえるために、取り外し、または移動させることが可能な圧力壁を設けた電動かみそり。
【発明の詳細な説明】
【技術分野】
【０００１】
本発明は剃り残しが少ない電気かみそりに関するものである    
【発明の概要】
【発明が解決しようとする課題】
【０００２】
従来の電気かみそりでは、外刃に肌を押し付けることにより密着させていたため、身体の凹凸によって外刃は部分的に肌と密着し、体毛の剃り残しが発生している。
また、剃りこみ深さも肌へ押し付ける強さにより安定しない
【課題を解決するための手段】
【０００３】
回転式または往復式の電動かみそりにおいて、筐体の内部に送風装置を設け、筐体
の側面部より空気を排出させることによって外刃の内側へ空気の負圧を発生させる。
外刃の外周には、負圧を保持する目的で圧力壁が設けられており、圧力壁の上面に肌を接触させると、肌は均等な負圧によって外刃へ吸引され、外刃の形状に合わせて密着する。圧力壁は身体の凹凸に密着し、隙間を生じさせないために柔軟性を持つ材料である事が好ましい。このことにより外刃は全面で肌と密着し、効率よく体毛を剃る事が出来る。
また、外刃と肌を密着させる圧力は、送風装置の風速により制御できるため、電気かみそりの設定で安定した剃りこみ深さを設定することができる。
【実施例】
【０００４】
以下、図面を参照して本発明の好ましい実施形態について詳細に説明する。
図１は回転式の電気かみそりへ本発明を実施した断面図である。
図２は電気かみそりの部品を分解した斜視図である。
図１に示されているように、外刃１は外刃ホルダー２に固定されている。圧力壁３も同様に外刃ホルダー２に固定されているが、取り外しや移動により、圧力壁としての機能を意図的に失効させる実施形態も想定が可能である。
【０００５】
内刃４は内刃ホルダー５に固定されている。内刃ホルダー５はブッシュ８を挟んで内刃駆動用モーター６に固定されている。送風装置の一例であるファン１０は送風用モーター１２に固定されている。防塵用フィルター１４は内刃ホルダー５と外刃ホルダー２の間に挟まっている。外刃ホルダー２は筐体である下ケース１５とねじ溝で組み合させる。内刃４、内刃ホルダー５、内刃駆動用モーター６、ブッシュ８は下ケース１５に固定されている。ファン１０、送風用モーター１２は下ケース１５に固定されている。
【０００６】
図２に示されているように、上ケース１６は下ケース１５に固定される。ファン１０が送風用モーター１２により回転することにより、上ケース１６の排気用溝穴２３と下ケース１５の排気用溝穴２２から空気が排出される。この時発生する負圧は下ケース１５の下面通気孔２０と上面通気孔１８を通じて外刃１より肌を吸い付けることになる。
【図面の簡単な説明】
【０００７】
【図１】本発明の好ましい実施形態である負圧機構が組み込まれた回転式の電気かみそりの断面図である。
【図２】電気かみそりの部品を分解した斜視図である。
【符号の説明】
【０００８】
１：  外刃
２：  外刃ホルダー
３：  圧力壁
４：  内刃
５：  内刃ホルダー
６：  内刃駆動用モーター
８：  ブッシュ
１０：  ファン
１２：  送風用モーター
１４：  防塵用フィルター
１５：  下ケース
１６：  上ケース
１８：  下ケースの上面通気孔
２０：  下ケースの下面通気孔
２２：  下ケースの排気用溝穴
２３：  上ケースの排気用溝穴
【図１】
2011125410.tif 000003
【図２】
2011125410.tif 000004
(57)【要約】【課題】一般家庭に於て、水遣りが不要な園芸土を提供すること。【解決手段】園芸土に於て、水遣りが面倒であった。本発明は加湿器などと併用して、腐葉土に黒砂糖を混ぜて、土の保湿力を高め、黒砂糖の栄養成分ミネラル成分を植物裁培に活用した、水遣り不要の園芸土。【選択図】図１
2011250779.tif 000002
【特許請求の範囲】
【請求項１】
栄養成分を有する用土と黒砂糖とを含む園芸土１。
【請求項２】
前記園芸土１は水蒸気とり込み可能である。
【発明の詳細な説明】
【０００１】  本発明は家庭内に於て、水遣りがほとんど不要な園芸土である。
【０００２】  従来のただの土と異なり栄養成分を有する用土に、黒砂糖を加えたものである。
【０００３】  上記の事由によって、黒砂糖の栄養成分が植物裁培により好影響を及ぼすものである。
【０００４】  また黒砂糖のミネラル成分が植物裁培により好影響を及ぼすものである。
【０００５】  また黒砂糖の保湿成分により水遣りが少なくてすみます。
【０００６】  Ｈ２Ｏのみは気体の水蒸気と液体の水とが存在する事に着目して、大気中の水蒸気を園芸土にとり込むものです。
【０００７】  日あたりの良いベランダなどに置いておけば、雨水などで、水分をとり込めるものです。
【０００８】  又、雨期や美肌用加湿器などがあると、室内の湿度が１００％程になる。
【０００９】  上記の場合、空気中の水蒸気をとり込んで、ほとんど水遣りなしで植物を裁培できます。
【００１０】  乾燥は、お肌の大敵であり、前記の様に美肌用加湿器なども多く見受けられます。
【００１１】  女性は比較的お花や観葉植物が好きとも言えます。
【００１２】  であるからして、美肌用加湿器とセットで有効利用することが可能です。
【００１３】  腐葉土が５０％黒砂糖が５０％を用いる事によって水蒸気をとり込めるものである。
【００１４】  ５０％毎でなくても大体３０％〜７０％位の割合で混ぜた土であれば良い。
【００１５】  日射しの良い窓べりにおいておくだけで、お花などや観葉植物が手軽に楽しめる事。
【００１６】  都会生活などでコンクリートの外壁などばかりだと、どうしても部屋が荒んで殺伐としがちであります。
【００１７】  上記の場合でも、緑があると、目に優しく心がいやされ、部屋も和みます。
【００１８】  乾燥に強い植物は水遣り無しで、乾燥に弱い植物は小量の水遣りで植物を育てられます。
【００１９】  快適な湿度は大体約６０％であります。
【００２０】  尚、家庭生活では、人体から出る水蒸気、キッチンから出る水蒸気など色々な水蒸気に満ちている。
【００２１】  腐葉土の他、ピートモスやバーク堆肥など一般に栄養成分を有する用土を用いる事も可能である。
【００２２】  水遣り不要と言っても万能ではなく、乾燥に弱い植物は、やはり適度に水をさすのが望ましい。
【図面の簡単な説明】
【００２３】
【図１】本発明の斜視側面図
【符号の説明】
【００２４】１  水やり不要の園芸土
２  鉢
３  植物【００２５】  これにより、より手軽に植物が楽しめる事。
【図１】
2011250779.tif 000003
(57)【要約】      （修正有）【課題】ストレッチ目的で、リズムに乗って有酸素運動をすることができる腰ひねりマットを提供する。【解決手段】マット１に仰向けになり、膝を立て、手で両側の持ち手３を持ち、リズムに乗って単調に、膝を左右交互に倒すことにより、腰がねじれ、腹部の周りを引き締めて腰痛を予防し、又はダイエット、メタボ対策ができように、前記マット１の両側に持ち手３を設けた構成とする。又前記のマット１は巻くことができる構成とする。【選択図】図１
2011250929.tif 000002
【特許請求の範囲】
【請求項１】
運動マットに持ち手のあることを特徴とした腰ひねりマット。
【請求項２】
巻けることを特徴とした請求項１記載の腰ひねりマット。
【発明の詳細な説明】
【技術分野】
【０００１】
本発明は、腹部周辺を引き締め、内臓に刺激を与える腰ひねりマットに関する。
【背景技術】
【０００２】
従来のマットには、空気袋をふくらませ腰をひねる、ストレッチマットがある（例えば特許文献１。）。
また、首および胸の筋肉に過度の負荷をかけることなく胸部のストレッチを行うストレッチマットがある（例えば特許文献２。）
【先行技術文献】
【特許文献】
【０００３】
【特許文献１】特開  ２００１−１６１７６８号広報
【特許文献２】特開  ２００７−１５９８１８号広報
【発明の概要】
【発明が解決しようとする課題】
【０００４】
以上に述べた従来のマットでは、リズムに乗って有酸素運動ができなかった。
【課題を解決するための手段】
【０００５】
そして、本発明は上記目的を達成するために、マット両側に持ち手を設けたものである。
【発明の効果】
【０００６】
上述したように、本発明の腰ひねりマットは普段あまりひねることのない腰をひねり単調に一定のリズムで、下肢に障害がある方も無理なく有酸素運動ができるのでメタボ、ダイエット、腰痛予防効果のマットとして堤供できる。
【０００７】
また、腰や内臓に刺激を与えるので、男性には思わぬ効果が女性には、産後のお腹の引き締め、美容、ベンピ対策、腹筋運動を行えば体力作り効果が得られるものである。
【図面の簡単な説明】
【０００８】
【図１】本発明の波形持ち手付マットの実施形態斜視図
【図２】本発明の凹凸形持ち手付マットの斜視図
【発明を実施するための形態】
【０００９】
以下、本発明の実施形態を図１〜図２に基ずいて説明する。
【００１０】
図１は、本発明の両面波形マット１に、仰向けになり頭部両側持ち手３を持ち、膝を立て右側に膝を倒した状態である。
【００１１】
図２は、両面凹凸形マット２で、持ち手３を硬めの軸４に付けたものである。
【００１２】
マット１、２は、巻ける程度の柔軟性又は弾力性がある、ゴム、樹脂の材質でクッション性を良くするため両面形成がのぞましい。  
【００１３】
マット１は、持ち運びに便利にするために、波状に沿って巻けて、マット２は、持ち手３の取り付け軸４に巻ける状態がのぞましい。
【００１４】
マット２は、身長に合わせ巻いたマットで調整ができる。尚、持ち手を座椅子、カーペット等にも応用可能、以上のように、本実施形態によれば、だれでも手軽に無理なくメタボ、ダイエット、腰痛予防体力作り対策が得られるものである。
【符号の説明】
【００１５】
１    波形マット
２    凹凸形マット
３    持ち手
４    軸
【図１】
2011250929.tif 000003
【図２】
2011250929.tif 000004
(57)【要約】【課題】  自然エネルギーを効率的に利用したクリエイティブな電動機の開発。【解決手段】  複数の永久磁石を固定した回転子と複数の電磁コイルを固定した固定子外枠を複数組合せ、電磁コイルの両極に永久磁石を作用させる電動機【選択図】図１
2011250666.tif 000002
【特許請求の範囲】
【請求項１】
複数の永久磁石を装着した回転子を回転軸に複数固定したものと、複数の電磁コイルを装着した固定子外枠を複数組合せ、永久磁石と電磁コイルが交互になるよう連結して電磁コイルの両極に対して永久磁石の界磁を作用させ回転運動する電動機。
【請求項２】
請求項１における電動機を発電機に機能変更して使用すること又は、機能を交互に変更して使用すること。
【発明の詳細な説明】
【技術分野】
【０００１】  永久磁石を固定した回転子と固定子電磁コイルを組合せ連結した電動機
【背景技術】
【０００２】  従来の電動機は、電磁コイルの一方の極側の界磁を磁石に作用させている。
【先行技術文献】
【特許文献】
【０００３】
【特許文献１】  特許第３８９７０４３号
【発明の概要】
【発明が解決しようとする課題】
【０００４】  より消費電力が少なく、より強力な動力を発生させる磁力電動機の開発
【課題を解決するための手段】
【０００５】  本発明は複数の永久磁石を装着した回転子と複数の電磁コイルを装着した固定子が交互になるよう組合せる。回転軸に固定した回転子と外枠に固定した固定子と各々複数組合せ永久磁石が電磁コイルの両極に作用するよう連結し、回転子の回転運動を発生させる。
【発明の効果】
【０００６】  永久磁石と電磁コイルのそれぞれの両極を相互作用させることにより相乗効果が得られ、より強力な動力の発生と電力の省力化が図れると同時に小型化も可能となる。
回転子と固定子を複数連結し増加させることにより相乗効果は高まり電力消費の効率化が図れる。
制御は回転子と固定子が増加しても回転子は回転軸に、固定子は外枠にそれぞれ固定させておりいずれか１組の制御方法と変りはなく比較的容易である。
【図面の簡単な説明】
【０００７】
【図１】本発明の構造図
【図２】図１のＡ−Ａ線に掛かる断面図
【発明を実施するための形態】
【０００８】  永久磁石の装着された回転子を回転軸に固定する。
電磁コイルの装着された外枠を永久磁石と電磁コイルが交互になるよう組合せ連結する。
３相電源の場合は、永久磁石と電磁コイルの極数は、２対３とする。
制御は、ブラシレスモータ用駆動回路ドライバを利用する。
【実施例】
【産業上の利用可能性】
【０００９】  電気自動車用モータなど車両関係の動力用モータとして、利用可能である。
建設用機械、荷役用機械などにも利用可能である。将来的には、電動機と高性能な発電機、バッテリーおよび太陽光発電の組合せにより無給電の電気自動車が可能になると思われる。
【符号の説明】
【００１０】符号１、電磁コイルと鉄心
２、永久磁石
３、固定子外枠
４、回転軸
５、軸受
６、永久磁石を装着した回転子
７、制御回路ドライバ
８、電磁コイルと鉄心を装着した固定子
【図１】
2011250666.tif 000003
【図２】
2011250666.tif 000004